(57)【要約】【課題】現場における誤操作などによるトラブルを抑制し、適切な工程の管理と開通後の品質管理を含めた総合的な管理が可能とする。【解決手段】工程の進行を進捗情報として取得するとともに各工程で取得される管理対象装置の設定情報を取得する情報取得部２０３ａと、進捗情報に設定情報を関連付けて蓄積する工程管理データベース２１０と、進捗情報及び設定情報を解析し管理対象装置を動作させる工程の到来及び管理対象装置の動作条件が満たされたか否かを判断する判断部２０３ｂと、管理対象装置を動作させる工程が到来した場合に、動作条件及び設定情報に基づいて当該管理対象装置を制御する制御データを生成する制御データ生成部２０３ｃと、制御データを出力する出力部２０３ｄとを備える。【選択図】  図２
2018056789.tif 000002
【特許請求の範囲】
【請求項１】
通信装置を管理対象装置として設置して伝送路を構築する工程を管理する工程管理システムであって、
前記工程の進行を進捗情報として入力する進捗情報入力部と、
各工程で取得される前記管理対象装置の設定情報を入力する設定情報入力部と、
前記進捗情報入力部で入力された進捗情報に、前記設定情報入力部で入力された設定情報を関連付けて蓄積する進捗情報蓄積部と、
前記進捗情報蓄積部に蓄積された進捗情報及び前記設定情報を解析し、前記管理対象装置を動作させる工程の到来、及び前記管理対象装置の動作条件が満たされたか否かを判断する判断部と、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを生成する制御データ生成部と、
前記制御データ生成部が生成した前記制御データを出力する出力部と
を備えることを特徴とする工程管理システム。
【請求項２】
（ＩＰアドレス・ＶＬＡＮのネットワークセンター側設定）
前記管理対象装置には、通信ネットワーク上に配置されて前記伝送路を論理的に構築するルーター機器が含まれ、
前記制御データには、前記ルーター機器に対して前記伝送路を定義させるためのルーティング情報が含まれる
ことを特徴とする請求項１に記載の工程管理システム。
【請求項３】
（ＶＬＡＮ詳細）
前記ルーター機器は、スイッチポートに論理的に構築される前記伝送路に固有のセグメント識別子に基づいて、ブロードキャストドメインの分割を行うスイッチング機能を有し、
前記ルーティング情報には、前記ブロードキャストドメインの分割によって、前記通信ネットワークの物理的な接続形態とは独立した仮想的な通信セグメントを定義するスイッチング情報が含まれる
ことを特徴とする請求項２に記載の工程管理システム。
【請求項４】
（エントランス機器のＩＰアドレス）
前記伝送経路には、前記伝送経路上に配置されたノード間を無線回線により中継する無線エントランス回線が含まれ、
前記管理対象装置には、前記無線エントランス回線を構築するノードとして設置される無線中継基地局を構成するエントランス機器が含まれ、
前記制御データには、前記エントランス機器の前記伝送路上における位置を定義するアドレス情報が含まれる
ことを特徴とする請求項１に記載の工程管理システム。
【請求項５】
通信装置を管理対象装置として設置して伝送路を構築する工程を管理する工程管理プログラムであって、コンピューターを、
前記工程の進行を進捗情報として入力する進捗情報入力部と、
各工程で取得される前記管理対象装置の設定情報を入力する設定情報入力部と、
前記進捗情報入力部で入力された進捗情報に、前記設定情報入力部で入力された設定情報を関連付けて蓄積する進捗情報蓄積部と、
前記進捗情報蓄積部に蓄積された進捗情報及び前記設定情報を解析し、前記管理対象装置を動作させる工程の到来、及び前記管理対象装置の動作条件が満たされたか否かを判断する判断部と、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを生成する制御データ生成部と、
前記制御データ生成部が生成した前記制御データを出力する出力部と
して機能させることを特徴とする工程管理プログラム。
【請求項６】
通信装置を管理対象装置として設置して伝送路を構築する工程を管理する工程管理方法であって、
前記工程の進行を、進捗情報入力部を通じて進捗情報として取得する進捗情報取得ステップと、
各工程で取得される前記管理対象装置の設定情報を、設定情報入力部を通じて前記設定情報を取得する設定情報取得ステップと、
前記進捗情報入力部で入力された進捗情報に、前記設定情報入力部で入力された設定情報を関連付けて進捗情報蓄積部に蓄積する進捗情報蓄積ステップと、
前記進捗情報蓄積部に蓄積された進捗情報及び前記設定情報を解析し、前記管理対象装置を動作させる工程の到来、及び前記管理対象装置の動作条件が満たされたか否かを判断部が判断する判断ステップと、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを、制御データ生成部が生成する制御データ生成ステップと、
前記制御データ生成部が生成した前記制御データを出力部が出力する出力ステップと
を備えることを特徴とする工程管理方法。
【発明の詳細な説明】
【技術分野】
【０００１】
本発明は、無線通信の伝送路構築工程などの工程管理システム、工程管理プログラム及び工程管理方法に関する。
【背景技術】
【０００２】
一般的に、携帯電話等の無線通信システムにおいて、その伝送路を構築するために通常基地局や無線エントランス回線の中継基地局等、種々の無線基地局を設置する。これらの無線基地局の設置及び開通に際しては、多くの工程を適切な順番で実施していく必要がある。これらの工程には、並行して進行するものが含まれるとともに、一方が完了しないと他方を進行できないものも含まれている。
【０００３】
従来、このような多数の工程を管理する技術として、例えば特許文献１に開示された配電工事管理システムがある。このシステムでは、工事を実施する施工会社に設置されているサーバーを介して地図情報中に予定されている工事内容を入力し、工事を監視する監視要員が所持する携帯端末機に、配電工事の予定、配電工事中及び配電工事終了等を区別して表示するとともに、携帯端末機を介して工事情報を現場において入力してその情報をサーバーに送出する。この特許文献１に開示されたシステムによれば、施工会社や工事の発注元で、現場における工事の進捗状況をリアルタイムに把握することができる。
【先行技術文献】
【特許文献】
【０００４】
【特許文献１】特開２００８−５２４６１号公報
【発明の概要】
【発明が解決しようとする課題】
【０００５】
ところで、無線通信システムの伝送路構築工事では、電波の試射などの作業が含まれており、この電波の試射のためには免許の申請手続が必要となる。そのため、例えば、免許申請と電波発射の工程が噛み合わない場合には、無免許での電波発射を実施してしまうというトラブルにつながる。
【０００６】
しかしながら、上述した特許文献１に開示されたシステムでは、現場での工事の進捗をサーバー側で監視するに留まることから、現場での連絡不行き届きや電波発信装置の誤操作まで禁止し得るものではなく、現場におけるトラブルの抑制には一定の限界があった。
【０００７】
そこで、本発明は、上記のような問題を解決するものであり、現場における誤操作などによるトラブルを抑制し、適切な工程の管理と開通後の品質管理を含めた総合的な管理が可能な工程管理システム、工程管理プログラム及び工程管理方法を提供することをその目的とする。
【課題を解決するための手段】
【０００８】
上記課題を解決するために、第１の発明は、通信装置を管理対象装置として設置して伝送路を構築する工程を管理する工程管理システムであって、
前記工程の進行を進捗情報として入力する進捗情報入力部と、
各工程で取得される前記管理対象装置の設定情報を入力する設定情報入力部と、
前記進捗情報入力部で入力された進捗情報に、前記設定情報入力部で入力された設定情報を関連付けて蓄積する進捗情報蓄積部と、
前記進捗情報蓄積部に蓄積された進捗情報及び前記設定情報を解析し、前記管理対象装置を動作させる工程の到来、及び前記管理対象装置の動作条件が満たされたか否かを判断する判断部と、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを生成する制御データ生成部と、
前記制御データ生成部が生成した前記制御データを出力する出力部と
を備えることを特徴とする。
【０００９】
第２の発明は、通信装置を管理対象装置として設置して伝送路を構築する工程を管理する工程管理プログラムであって、コンピューターを、
前記工程の進行を進捗情報として入力する進捗情報入力部と、
各工程で取得される前記管理対象装置の設定情報を入力する設定情報入力部と、
前記進捗情報入力部で入力された進捗情報に、前記設定情報入力部で入力された設定情報を関連付けて蓄積する進捗情報蓄積部と、
前記進捗情報蓄積部に蓄積された進捗情報及び前記設定情報を解析し、前記管理対象装置を動作させる工程の到来、及び前記管理対象装置の動作条件が満たされたか否かを判断する判断部と、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを生成する制御データ生成部と、
前記制御データ生成部が生成した前記制御データを出力する出力部と
して機能させることを特徴とする。
【００１０】
第３の発明は、通信装置を管理対象装置として設置して伝送路を構築する工程を管理する工程管理方法であって、
前記工程の進行を、進捗情報入力部を通じて進捗情報として取得する進捗情報取得ステップと、
各工程で取得される前記管理対象装置の設定情報を、設定情報入力部を通じて取得する設定情報取得ステップと、
前記進捗情報入力部で入力された進捗情報に、前記設定情報入力部で入力された設定情報を関連付けて進捗情報蓄積部に蓄積する進捗情報蓄積ステップと、
前記進捗情報蓄積部に蓄積された進捗情報及び前記設定情報を解析し、前記管理対象装置を動作させる工程の到来、及び前記管理対象装置の動作条件が満たされたか否かを判断部が判断する判断ステップと、
前記判断部による判断結果に基づいて、前記管理対象装置を動作させる工程が到来した場合に、前記動作条件及び前記設定情報に基づいて、前記管理対象装置に入力されて当該管理対象装置を制御する制御データを、制御データ生成部が生成する制御データ生成ステップと、
前記制御データ生成部が生成した前記制御データを出力部が出力する出力ステップと
を備えることを特徴とする。
【００１１】
これらの発明では、各工程の進捗情報に管理対象装置の設定情報を関連付けて管理し、管理対象装置を動作させる工程の到来、及び管理対象装置の動作条件が満たされたか否かを判断する。そして、管理対象装置を動作させる工程が到来した場合に、動作条件及び設定情報に基づいて、管理対象装置の制御データを生成して出力する払い出しを実行する。このため、本発明によれば、管理対象装置を動作させる条件が整った適切なタイミングにおいてコンフィグ等の制御データが生成或いは設定されることとなり、免許取得が完了するなど、正しい進捗ステイタスにならなければ管理対象装置を動作可能な状態へ移行させることができず、例えば電波発射等の適正化が図れる。
【００１２】
上記発明において、前記管理対象装置には、通信ネットワーク上に配置されて前記伝送路を論理的に構築するルーター機器が含まれ、
前記制御データには、前記ルーター機器に対して前記伝送路を定義させるためのルーティング情報が含まれる
ことが好ましい。
【００１３】
この場合には、免許取得などの他の工程の進捗に合わせて、ネットワークセンター側のルーター機器など、バックボーン側の伝送設定を行うことで、バックボーン側の開通タイミングを適切にコントロールでき、無線エントランス装置などのアクセス伝送装置が接続される前に実施されるバックボーン側の伝送疎通確認を利用して、電波発射の適正化の強化が図れる。
【００１４】
上記発明において前記ルーター機器は、スイッチポートに論理的に構築される前記伝送路に固有のセグメント識別子に基づいて、ブロードキャストドメインの分割を行うスイッチング機能を有し、
前記ルーティング情報には、前記ブロードキャストドメインの分割によって、前記通信ネットワークの物理的な接続形態とは独立した仮想的な通信セグメントを定義するスイッチング情報が含まれる
ことが好ましい。
【００１５】
この場合には、いわゆるＶＬＡＮ等の仮想的な通信セグメントを定義するスイッチング情報の設定など、バックボーン側の伝送設定を、適切なタイミングで行うことができ、バックボーン側の伝送疎通確認を進捗管理に利用した電波発射の適正化をさらに強化することができる。
【００１６】
上記発明において前記伝送経路には、前記伝送経路上に配置されたノード間を無線回線により中継する無線エントランス回線が含まれ、
前記管理対象装置には、前記無線エントランス回線を構築するノードとして設置される無線中継基地局を構成するエントランス機器が含まれ、
前記制御データには、前記エントランス機器の前記伝送路上における位置を定義するアドレス情報が含まれる
ことが好ましい。
【００１７】
この場合には、動作条件である免許取得の工程が完了するのを待って、実際に電波を発射するエントランス機器の設定用コンフィグや設定パラメーターの払い出しを行うため、正しい進捗ステイタスにならなければエントランス機器を電波発射可能な状態へ移行させる操作ができず、誤操作などによる無免許状態での電波発射を確実に防止できる。
【発明の効果】
【００１８】
以上述べたように、これらの発明によれば、例えば、免許に関する情報と、工程に関する進捗情報を基に、適切なタイミングにおいてコンフィグデータ等の制御データを生成するため、必要な情報（免許情報等）が埋まり、正しい進捗ステイタスにならないと、管理対象装置を動作可能な状態へ移行させることができなくなるため、例えば無免許状態におけるエントランス機器の電波発射など、現場における誤操作などによるトラブルを抑制し、適切な工程の管理と開通後の品質管理を含めた総合的な管理が可能となる。
【図面の簡単な説明】
【００１９】
【図１】実施形態に係る工程管理システムの全体構成を示す概念図である。
【図２】実施形態に係る管理サーバーの内部構成を示すブロック図である。
【図３】実施形態に係る端末装置の内部構成を示すブロック図である。
【図４】実施形態に係る無線エントランス回線の構築工程を示すフローチャート図である。
【図５】実施形態に係る無線エントランス回線の構築における論理工事及び物理工事を示すフローチャート図である。
【図６】実施形態に係る工程管理ソフトウェアの構成を示すブロック図である。
【図７】実施形態に係る工程管理ソフトウェアの案件検索画面を示す説明図である。
【図８】実施形態に係る工程管理ソフトウェアの机上検討画面を示す説明図である。
【図９】実施形態に係る工程管理ソフトウェアの案件詳細表示画面を示す説明図である。
【図１０】実施形態に係る工程管理ソフトウェアの免許情報変更履歴画面を示す説明図である。
【図１１】実施形態に係る工程管理ソフトウェアの基地局情報表示画面を示す説明図である。
【図１２】実施形態に係る工程管理ソフトウェアの附帯監視装置情報表示画面を示す説明図である。
【図１３】実施形態に係る工程管理ソフトウェアのパフォーマンス情報表示画面を示す説明図である。
【発明を実施するための形態】
【００２０】
以下に添付図面を参照して、本発明に係る工程管理システムの実施形態を詳細に説明する。本実施形態では、本発明の工程管理システムを、無線通信システムの伝送路構築においてエントランス装置を設置する工事に適用した場合を例示する。なお、以下の実施形態の説明は、本発明の一例である。このため、本発明は上述した実施形態に限定されることなく、本発明に係る技術的思想を逸脱しない範囲であれば、設計等に応じて種々の変更が可能である。例えば、本実施形態では、地上無線による無線エントランス回線の伝送路を例に説明するが、本発明は、バックボーン側から制御できる設備や機器であれば、無線・有線又は衛星回線などを通じたエントランス回線全般に適用することができる。
【００２１】
（工程管理システムの全体構成）
図１は、本実施形態に係る工程管理システムの全体構成を示す概念図である。本実施形態に係る工程管理システム１は、電波を発信する通信装置を管理対象装置として設置して伝送路を構築する工程を管理するシステムであり、図１に示すように、通信ネットワーク３上に管理サーバー２が配置され、この管理サーバー２に対して、通信ネットワーク３を通じて、各地域に配属された各担当者Ｍ１〜Ｍ４が使用する情報処理端末１１〜１４が接続可能に配置されている。なお、ここでの情報処理端末１１〜１４の通信ネットワーク３に対する接続方式としては、常時接続及び都度接続とすることができ、情報処理端末１１〜１４は一時的に通信ネットワーク３から切り離して各担当者Ｍ１〜Ｍ４の業務のために使用されてもよい。
【００２２】
本実施形態における工程管理システムは、無線エントランス回線を構築するノードとして設置される無線中継基地局に設けられるエントランス機器や、伝送路を論理的に構築するルーター機器を管理対象装置として、これら管理対象装置に関する工事の各工程の進捗情報に、各管理対象装置の設定情報を関連付けて管理サーバー２において管理する。
【００２３】
担当者Ｍ１〜Ｍ４は、各部署における各種業務を担当する人員であり、管理対象となっている業務の進捗状況を報告する。地域担当者Ｍ１は、管理対象であるエントランス機器４１の工事を行う作業員である。本社免許担当者Ｍ２は免許の申請手続を行う人員であり、本社管理担当者Ｍ３は工程などの全体的な管理を行う人員である。また、ネットワークセンター側担当者Ｍ４は、ルーター機器４４に対する工事を行う作業員である。
【００２４】
これらの各担当者Ｍ１〜Ｍ４は、それぞれ情報処理端末１１〜１４を所持しており、各自が担当する作業の進捗を管理サーバー２に送信するとともに、これらの情報処理端末１１〜１４を通じて、プロジェクト全体の進捗状況や各自の作業に対する指示などの業務連絡を閲覧できるようになっている。
【００２５】
ここで、通信ネットワーク３は、通信プロトコルＴＣＰ／ＩＰを用いたＩＰ網であって、種々の通信回線（電話回線やＩＳＤＮ回線、ＡＤＳＬ回線、光回線などの公衆回線、専用回線、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワーク）を相互に接続して構築される分散型の通信ネットワークである。このＩＰ網には、１０ＢＡＳＥ−Ｔや１００ＢＡＳＥ−ＴＸ等によるイントラネット（企業内ネットワーク）や家庭内ネットワークなどのＬＡＮなども含まれる。
【００２６】
管理サーバー２は、管理対象装置に関する工事の各工程の進捗情報に、各管理対象装置の設定情報を関連付けて一元的に管理するサーバー装置であり、例えば、管理対象装置を動作させる工程の到来や、管理対象装置の動作条件が満たされたか否かを監視し、管理対象装置を動作させる条件が整った適切なタイミングにおいてコンフィグ等の制御データの払い出しを実行することにより、正しい進捗ステイタスになるまで、管理対象装置の動作を規制し、電波発射等の適正化を図るようにしている。
【００２７】
各人員が使用する情報処理端末１１〜１４は、通信ネットワーク３に接続されたクライアント装置であり、ＣＰＵ等の演算処理装置を備え、アプリケーションソフトを実行することによって種々の機能を提供する。この情報処理端末としては、例えば、パーソナルコンピュータ等の汎用コンピューターや機能を特化させた専用装置により実現することができ、スマートフォンやモバイルコンピューター、ＰＤＡ（Personal Digital Assistance ）、携帯電話機、ウェアラブル端末装置等が含まれる。
【００２８】
この各情報処理端末１１〜１４は、ブラウザソフトを通じて上記管理サーバー２にアクセスして、情報の送受信が可能となっている。このブラウザソフトは、Ｗｅｂページを閲覧するためのモジュールであり、通信ネットワーク３からＨＴＭＬ（HyperText Markup Language）ファイルや画像ファイル、音楽ファイルなどをダウンロードし、レイアウトを解析して表示・再生する。フォームを使用してユーザーがデータをＷｅｂサーバーに送信したり、JavaScript（登録商標）やFlash及びJava（登録商標）などで記述されたアプリケーションソフトを動作させたりすることも可能である。
【００２９】
（各装置の構成）
次いで、各装置の構成について詳述する。図２は、本実施形態に係る管理サーバーの内部構成を示すブロック図であり、図３は、本実施形態に係る各端末装置の内部構成を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３０】
（１）管理サーバーの構成
管理サーバー２は、単数又は複数のサーバー装置群により構成され、各サーバー装置の機能は、各種情報処理を実行するサーバーコンピューター或いはその機能を持ったソフトウェアで実現される。この管理サーバー２には、サーバー用のアプリケーションソフトウェアを実行するサーバーコンピューター、若しくはそのようなコンピューター上でのアプリケーションの実行を管理補助するミドルウェアで構成されたアプリケーションサーバーが含まれる。
【００３１】
本実施形態係る管理サーバー２は、工程管理プログラム５を実行することによって、工程管理に必要な機能を提供する。それぞれの情報処理端末１１〜１４のブラウザソフトを通じて、管理サーバー２の工程管理プログラム５にアクセスすることによって、本実施形態に係る工程管理システムを利用することができる。なお、本実施形態では、管理サーバー２上で工程管理プログラム５を実行してクライアント装置に機能を提供する場合を例示するが、本発明はこれに限定されるものではなく、プログラムの一部または全部をクライアント側においてスタンドアローンで実行されるソフトウェアとすることができる。
【００３２】
また、管理サーバー２には、情報処理端末１１〜１４等のクライアント装置から、ＨＴＴＰのレスポンス要求を処理するウェブサーバーが含まれ、このウェブサーバーは、バックエンドの関係データベース管理システム（ＲＤＢＭＳ）を実行するデータベース中核層への橋渡しを担い、データの加工などの処理を行う。関係データベースサーバーは、データベース管理システム（ＤＢＭＳ）が稼動しているサーバーであり、クライアント装置やアプリケーションサーバー（ＡＰサーバー）に要求されたデータを送信したり、操作要求を受け付けてデータを書き換えたり削除したりする機能を有する。
【００３３】
図２（ａ）に示すように、本実施形態に係る管理サーバー２は、通信ネットワーク３を通じて工程管理用のＷｅｂページ配信サービス及びデータベースサービスを提供するサーバー装置群であり、各サーバー装置の機能は、各種情報処理を実行するサーバーコンピューター或いはその機能を持ったソフトウェアで実現される。本実施形態では、具体的に管理サーバー２は、通信インターフェース２０１と、認証部２０２と、管理実行部２０５と、通知部２０６と、各種データベース２１０〜２１２とを備えている。
【００３４】
通信インターフェース２０１は、通信ネットワーク３を通じて、他の機器とデータの送受信を行うモジュールであり、通信方式としては、例えば、電話回線やＩＳＤＮ回線、ＡＤＳＬ回線、光回線などの公衆回線、専用回線、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワークが含まれる。
【００３５】
認証部２０２は、アクセス者の正当性を検証するコンピューター或いはその機能を持ったソフトウェアであり、各ユーザーを特定するユーザーＩＤに基づいて認証処理を実行する。本実施形態では、通信ネットワーク３を通じてアクセス者のユーザー端末からＩＤ及びパスワードを取得し、社員データベース２１２を照合することによって、アクセス権限付与の可否を確認するとともに、社員の所属、役割、業務に必要となる資格、資格の有効期間などに基づくアクセス可否及びアクセス権限を確認し、確認されたアクセス権限に基づいて情報の開示範囲を設定する。
【００３６】
通知部２０６は、本システムに関わる人員に対して電子メール等の通信手段により、各種メッセージ等の通知を自動的に実行するモジュールである。例えば、地域担当者Ｍ１からの工事進捗報告や、本社側の管理者からの業務連絡を送信する機能を果たしている。
【００３７】
各種データベースとしては、工程管理データベース２１０と、基地局管理データベース２１１と、社員データベース２１２とを備えている。なお、これらのデータベースは、関係データベース管理システム（ＲＤＢＭＳ）により、相互に情報の参照が可能となっている。
【００３８】
工程管理データベース２１０は、基地局を新規に増設したりする際の工事進捗を記録して格納する蓄積装置であり、例えば、情報取得部２０３ａで取得された進捗情報及び設定情報を関連付けて蓄積する進捗情報蓄積部としての機能を果たす。基地局管理データベース２１１は、管理対象施設の現在のステイタスが記録された管理対象リストを格納する蓄積部である。社員データベース２１２は、地域や本社に勤務する社員に関する情報を格納する蓄積装置であり、この社員に関する情報には、社員の氏名、所属の他、社員のＩＤやパスワード等の認証情報が含まれる。
【００３９】
管理対象リストは、各無線基地局装置や無線エントランス回線等の装置や設備の一覧であり、基本情報として、その装置又は設備の名称、属する地域及び関連するプロジェクト名などが基本情報として格納されているとともに、この基本情報に関連付けられて記述されている。
【００４０】
管理実行部２０５は、工事の進捗管理を行うモジュールであり、本実施形態では、進捗管理部２０３を備えている。進捗管理部２０３は、無線基地局の開設など、管理対象装置に関する工事の各工程の進捗情報に、各管理対象装置の設定情報を関連付けて管理するモジュールであり、各工事や業務の進捗状況を取得して、各工事等の進捗を監視するとともに、各工程の条件に応じた次工程の規制を行う。具体的にこの進捗管理部２０３は、本実施形態では、図２（ｂ）に示すように、情報取得部２０３ａと、判断部２０３ｂと、制御データ生成部２０３ｃと、出力部２０３ｄとを備えている。
【００４１】
情報取得部２０３ａは、情報処理端末１１〜１４を通じて、各担当者Ｍ１〜Ｍ４から各工事や業務の進捗報告を受け付けるモジュールである。本実施形態において、この情報取得部２０３ａは、管理サーバー２のＷｅｂサーバー機能及び通信インターフェース２０１を通じて、情報を入力する入力フォームを提示する機能を備え、この入力フォームは、各工程の進行を進捗情報として入力する進捗情報入力部と、各工程で取得される各管理対象装置の設定情報を入力する設定情報入力部としての役割を果たす。
【００４２】
判断部２０３ｂは、工程管理データベース２１０に蓄積された進捗情報及び設定情報を解析し、管理対象装置を動作させる工程の到来、及び管理対象装置の動作条件が満たされたか否かを判断するモジュールであり、工程の到来動作条件が満たされた際に、制御データ生成部２０３ｃに制御データの払い出しを実行させる。
【００４３】
制御データ生成部２０３ｃは、判断部２０３ｂによる判断結果に基づいて、管理対象装置を動作させる工程が到来した場合に、動作条件及び設定情報に基づいて、制御する制御データを生成するモジュールである。この制御データ生成部２０３ｃで生成された制御データは出力部２０３ｄに受け渡されて配布される。
【００４４】
ここで制御データには、例えば、ルーター機器４４に対して伝送路を定義させるためのルーティング情報が含まれ、このルーティング情報としては、いわゆるＶＬＡＮのネットワークセンター側のルーター機器など、バックボーン側の伝送設定が含まれ、このルーティング情報の払い出しを規制することによって、無線エントランス装置などをバックボーン側の伝送路が、物理的に或いは論理的に接続される前に実施されるバックボーン側の伝送疎通確認の実施タイミングを制御して、電波発射の適正化を図るようにしている。なお、このＶＬＡＮのルーティング情報には、ブロードキャストドメインを分割し、通信ネットワークの物理的な接続形態とは独立した仮想的な通信セグメントを定義するスイッチング情報が含まれる。
【００４５】
また、制御データには、エントランス機器４１の伝送路上における位置を定義するアドレス情報であるＩＰアドレスが含まれ、このエントランス機器４１に対するＩＰアドレスの払い出しのタイミングを規制することによって、エントランス機器を動作させるタイミングを制御している。
【００４６】
出力部２０３ｄは、制御データ生成部２０３ｃが生成した制御データを出力するモジュールである。この制御データは、本実施形態では、所定のファイル形式で出力され、通知部２０６を通じて電子メールにより配布されたり、対象装置に固有のファームウェア等のプログラム形式で出力することができ、ファームウェアのアップデート処理として配布することもできる。
【００４７】
（２）情報処理端末の構成
各工事担当者Ｍ１，Ｍ４、本社免許担当者Ｍ２及び本社管理担当者Ｍ３が使用する情報処理端末１１〜１４はいずれも、汎用的なコンピューターやスマートフォン、専用の装置で実現することができ、具体的には、図３に示すように、ＣＰＵ１０２と、メモリ１０３と、入力インターフェース１０４と、ストレージ装置１０１と、出力インターフェース１０５と、通信インターフェース１０６とを備えている。なお、本実施形態では、これらの各デバイスは、ＣＰＵバスを介して接続されており、相互にデータの受渡しが可能となっている。
【００４８】
メモリ１０３及びストレージ装置１０１は、データを記録媒体に蓄積するとともに、これら蓄積されたデータを各デバイスの要求に応じて読み出す装置であり、例えば、ハードディスクドライブ（ＨＤＤ）やソリッドステートドライブ（ＳＳＤ）、メモリカード等により構成することができる。
【００４９】
入力インターフェース１０４は、キーボードやポインティングデバイス、タッチパネルやボタン等の操作デバイスから操作信号を受信するモジュールであり、受信された操作信号はＣＰＵ４０２に伝えられ、ＯＳや各アプリケーションに対する操作を行うことができる。出力インターフェース１０５は、ディスプレイやスピーカー等の出力デバイスから映像や音声を出力するために映像信号や音声信号を送出するモジュールである。
【００５０】
通信インターフェース１０６は、他の通信機器とデータの送受信を行うモジュールであり、通信方式としては、例えば、電話回線やＩＳＤＮ回線、ＡＤＳＬ回線、光回線などの公衆回線、専用回線、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワークが含まれる。
【００５１】
ＣＰＵ４０２は、各部を制御する際に必要な種々の演算処理を行う装置であり、各種プログラムを実行することにより、ＣＰＵ４０２上に仮想的に各種モジュールを構築する。このＣＰＵ４０２上では、ＯＳ（Ｏｐｅｒａｔｉｎｇ  Ｓｙｓｔｅｍ）が起動・実行されており、このＯＳによって情報処理端末１１〜ｃ，４，５の基本的な機能が管理・制御されている。また、このＯＳ上では種々のアプリケーションが実行可能になっており、ＣＰＵ４０２でＯＳプログラムが実行されることによって、情報処理端末の基本的な機能が管理・制御されるとともに、ＣＰＵ４０２でアプリケーションプログラムが実行されることによって、種々の機能モジュールがＣＰＵ上に仮想的に構築される。
【００５２】
本実施形態では、ＣＰＵ４０２上でブラウザソフトを実行することによって、ブラウザ部１０２ａが構成され、このブラウザ部１０２ａを通じて、システム上の情報を閲覧したり、情報を入力したりする。詳述すると、このブラウザ部１０２ａは、Ｗｅｂページを閲覧するためのモジュールであり、通信ネットワーク３を通じて管理サーバー２からＨＴＭＬ（HyperText Markup Language）ファイルや画像ファイル、音楽ファイルなどをダウンロードし、レイアウトを解析して表示・再生する。フォームを使用してユーザーがデータをＷｅｂサーバーに送信したり、ＪａｖａＳｃｒｉｐｔ（登録商標）やＦｌａｓｈ、及びＪａｖａ（登録商標）などで記述されたアプリケーションソフトを動作させたりすることも可能である。
【００５３】
（３）工程管理ソフトウェアの構成
次いで、工程管理ソフトウェアの構成について説明する。図６は、本実施形態に係る工程管理ソフトウェアの画面遷移を示すブロック図である。工程管理ソフトウェアは、管理サーバー２の管理実行部２０５で本発明の工程管理プログラムを実行することによって実装され、進捗管理部２０３が備える各機能モジュールが仮想的に構築される。この進捗管理部２０３が備える各機能モジュールは、工程管理ソフトウェアのメニュー画面から呼び出して総合的に制御することができる。具体的には、図６に示すように、メニュー機能５０１から各種機能の画面に遷移する。
【００５４】
先ず、メニュー機能５０１からエントランス区間管理機能５０２を介して、案件検索機能５０３に遷移する。この案件検索機能５０３は、管理対象となる装置や回線、基地局などを検索する検索画面であり、所定の検索情報を入力することによって、工程管理データベース２１０や基地局管理データベース２１１を検索する。この案件検索機能５０３では、図７に示すように、区間ＩＤや論理回線ＩＤ、機器名称、基地局名などが分かっている場合には、それらの完全一致、部分一致検索ができる他、開通未処理、開通済み、変更予約、廃止済みなどのステイタスや、地域、エントランス種別、開通予定日などの日時による絞り込み検索も可能となっている。
【００５５】
この案件検索機能５０３で抽出された各基地局情報には、各基地局の詳細情報にリンクが設定されており、クリック等の選択処理によって、図９に示すような案件管理機能５０７の案件詳細表示フォームＦ３に遷移できるようになっている。この案件詳細表示フォームＦ３では、工程管理データベース２１０や基地局管理データベース２１１に格納されたデータが抽出されて表示されるようなっており、例えば、無線エントランス回線情報の詳細表示を閲覧することができる。
【００５６】
この詳細表示の項目としては、区間管理情報のＩＤに紐付けられるようにして、親機のエントランス設定情報、アドレス情報、アンテナ情報、附帯設備情報、及びエントランス工事情報が記載されているとともに、合わせて子機のエントランス設定情報、アドレス情報、アンテナ情報が記載されている。なお、附帯設備情報Ｆ３ｅには、図１２に示すような各基地局に備えられる附帯監視装置情報表示フォームＦ６にリンクが貼られており、各監視情報のステイタスが確認できるようになっている。
【００５７】
さらに、この案件詳細表示フォームＦ３では、親機及び子機のエントランス設定情報にリンクＦ３ａが設定されており、このリンクＦ３ａをクリックすることによって、図１３に示すような、各回線のパフォーマンス情報にアクセスできるようになっている。
【００５８】
また、案件検索機能５０３では、新規に無線エントランス回線を登録したり、新規の設計情報を記述したＣＳＶファイルをアップロードすることにより、新規案件のデータを生成できるようになっている。具体的には、案件検索機能５０３のボタンＦ１ａをクリックすることにより新規・ＣＳＶをアップロードする新規ＳＣＶアップロード機能５０４に遷移が可能となり、所定の情報を入力することにより新規の案件詳細表示フォームＦ３に遷移可能となり、所定のリンクを辿ることによって、机上検討機能５０５か、或いはＩＰアドレス割当機能５０６に遷移できるようになっている。これら機能５０４〜５０６からは、案件管理機能５０７に遷移できるようになっている。
【００５９】
机上検討機能５０５では、図８に示すように、親基地及び子基地のエントランス設定情報を入力して、演算を実行させるとともに地図に反映させる。この設定情報としては、基地局名、緯度、経度、アンテナ設置高、サーチ半径などが含まれる。このエントランス机上計算としては、利用周波数、伝送路の区間距離、送信アンテナ及び受信アンテナのアンテナ利得、自由空間伝搬損失、受信電力、想定フェージング量、フェージング時の想定受信電力などが含まれる。
【００６０】
ＩＰアドレス割当機能５０６は、管理対象装置の設定情報を入力する設定情報入力部としての役割を果たし、このＩＰアドレス割当機能５０６を通じて、設定情報を入力することによって、管理サーバー２の情報取得部２０３ａにアドレス情報であるＩＰアドレスを取得させることができる。このＩＰアドレスとしては、例えば、エントランス機器の伝送路上における位置を定義するアドレス情報が含まれる。
【００６１】
案件管理機能５０７からは、基地局情報管理機能５０８に移行できるようになっている。この基地局情報管理機能５０８では、図１１に示すように、基地局情報表示フォームＦ５に示すように、各基地局に関する回線情報やアドレス設定情報、エリア、基地局名、設定先地域等の情報の他、論理回線状態が提示されている。
【００６２】
なお、案件管理機能５０７からは、故障対応管理機能５０９に移行できるようになっている。この故障対応管理機能５０９では、故障が生じた設備や装置に関する情報が表示され、生じた故障に対する応答措置の有無や内容が記述されている。
【００６３】
また、メニュー機能５０１からは、論理オーダー機能５１０に遷移できるようになっている。この論理オーダー機能５１０は、進捗情報及び設定情報を解析して管理対象装置を動作させる工程の到来や、管理対象装置の動作条件が満たされたか否かを判断する判断部２０３ｂを呼び出すメニューであり、論理オーダー機能５１０では、進捗情報及び設定情報を表示させるとともに、その解析結果として、管理対象装置を動作させる工程の到来や、管理対象装置の動作条件が満たされたか否かを提示している。この論理オーダー機能５１０は、案件管理機能５０７からも呼び出されるようになっており、例えば、案件詳細表示フォームＦ３のコンフィグ出力ボタンＦ３ｄをクリックするなどして制御データを出力しようとした際に、判断部２０３ｂによる判定を実行し、コンフィグ出力の可否が規制されるようになっている。
【００６４】
（工程管理方法の手順）
以上説明した工程管理ソフトウェアを通じて工程管理システムを動作させることによって、本発明の工程管理方法を実施できる。ここでは、無線エントランス回線の構築工程を管理する場合を例示する。図４は、実施形態に係る無線エントランス回線の構築工程を示すフローチャート図である。
【００６５】
図４に示すように、本実施形態では、先ず、置局設計を行う（Ｓ１０１）。この置局設計では、基地局をどこに設置するのか、無線エントランス回線の周波数は何を使うのかなど、基本的な置局条件を設計する。ここで設計された事項を設定情報として新規ＳＣＶアップロード機能５０４で入力或いはアップロードすることにより、新たな案件が新規登録される。
【００６６】
次いで、机上検討を行う（Ｓ１０２）。この机上検討では、エントランス無線の見通しがあるか、どの程度の通信速度が確保できるのかを検討する。この机上検討では、図８に示すような、机上検討フォームＦ２を用いて、親基地局の位置（緯度・経度）アンテナ設置高、サーチ半径と合わせて、子基地局の位置（緯度・経度）アンテナ設置高、サーチ半径などを設定することによって、利用周波数や伝搬路の区間距離、送信・受信アンテナの利得や、自由空間伝搬損失、想定フェージング量・受信電力などを算出して、地図上に表示させることができる。
【００６７】
その後、現地調査を実施し、調査後に免許申請の手続きを進めるか、或いは現地調査と並行して免許申請等の手続を進める（Ｓ１０３）。具体的には、机上検討である程度絞り込まれた地域に赴いて現地調査を行い、机上検討通りに開通が可能かを確認するとともに、必要に応じて電波発信の免許を申請する手続を開始する。この免許申請手続の進捗、及び免許取得完了などの報告は、図１０に示す免許情報変更履歴フォームＦ４を通じて、管理サーバー２の情報取得部２０３ａに取得される。
【００６８】
次いで、論理工事と物理工事を進める（Ｓ１０４）。具体的には、ネットワークセンター側担当者Ｍ４による論理工事としてネットワークセンター内のルーター機器４４の設定を行ったり、地域担当者Ｍ１による物理工事として現地におけるエントランス無線装置の設置及び機器の設定を行ったりする。これらの各工事の進捗は、各人員が使用する端末１１，１４を通じて、管理サーバー２の情報取得部２０３ａに取得される。その後、エントランス無線が開通される（Ｓ１０５）。
【００６９】
上記ステップＳ１０４における論理工事及び物理工事では、具体的に以下のような処理を実行する。図５は、上述したステップＳ１０４における処理手順を示すフローチャート図である。
【００７０】
同図に示すように、先ず、情報の入力を受け付ける（Ｓ１０４ａ）。具体的には、物理工事として現地におけるエントランス無線装置の設置工事等の進捗報告と合わせて、各免許申請等の手続に関する進捗報告の入力を待ち、所定の条件が満たされたか否かを判断部２０３ｂにおいて監視する。そして、ステップＳ１０４ａで入力された情報が条件を満たしていれば（ステップＳ１０４ｂにおける）、ステップＳ１０４ｃに移行する。ステップＳ１０４ａにおいて入力された情報が条件を満たしていない場合（Ｓ１０４ｂにおける「Ｎ」）は、必要事項が全て入力され、条件が満たされるまで繰り返す。
【００７１】
そして、入力された情報が条件を満たした場合にステップＳ１０４ｃでは、制御情報（設定パラメーター＆コンフィグデータ）の払い出しを実行する。具体的には、制御データ生成部２０３ｃにより所定の制御データを生成し、出力部２０３ｄを通じて、各工事の担当者に配布されるとともに（Ｓ１０４ｄ）、論理工事及び物理工事（電波発信）が可能となった旨の現地指示を連絡する（Ｓ１０４ｅ）。
【００７２】
この現地指示を受けて、ネットワークセンター側のネットワークセンター側担当者Ｍ４や、現地の地域担当者Ｍ１は、制御データに基づいて各機器の設置及び伝送疎通確認等を実施する。具体的には、ネットワークセンター側において、ルーター機器４４に対して伝送路を定義させるための設定パラメーターとして、ルーティング情報及びスイッチング情報を設定し、ブロードキャストドメインを分割し、通信ネットワークの物理的な接続形態とは独立した仮想的な通信セグメントを定義する。また、現地側では、エントランス機器４１の伝送路上における位置を定義するアドレス情報であるＩＰアドレス等を含むコンフィグデータをインストールする。これらの制御データの導入が完了することによりはじめて伝送疎通確認などの電波発信を伴う工程を実施することが可能となる。
【００７３】
なお、上記エントランス無線の開通後にあっては（Ｓ１０５）、品質管理情報（ＳＮＭＰ等）を開通後の情報として、情報取得部２０３ａに報告し、工程管理データベース２１０及び基地局管理データベース２１１に蓄積される。このように、開通後の回線の品質と、開通前における工程及び基地局に関する情報とを紐付けてフィードバックする。
【００７４】
（作用・効果）
以上説明した本実施形態によれば、各工程の進捗情報に管理対象装置の設定情報を関連付けて管理し、管理対象装置を動作させる工程の到来、及び管理対象装置の動作条件など、管理対象装置を動作させる条件が整った適切なタイミングにおいて、設定パラメーターやコンフィグ等の制御データを生成或いは設定することができる。これにより、必要な情報（免許情報等）が埋まり、正しい進捗ステイタスにならないと、無線エントランス装置を電波発射モードへ変更することができなくなるため、電波発射の適正化を図ることができる。
【００７５】
また、本実施形態によれば、免許取得などの他の工程の進捗に合わせて、ネットワークセンター側のルーター機器など、バックボーン側の伝送設定を行うことで、基地局伝送路の開通タイミングを適切にコントロールでき、無線エントランス装置などの伝送路が接続される前に実施されるバックボーン側の伝送疎通確認を利用して、電波発射の適正化の強化が図れる。
【００７６】
また、本実施形態では、いわゆるＶＬＡＮ等の仮想的な通信セグメントを定義するスイッチング情報の設定など、バックボーン側の伝送設定を、適切なタイミングで行うことができ、バックボーン側の伝送疎通確認を利用した電波発射の適正化を図れるとともに、現地における誤操作などによる無免許状態での電波発射を確実に防止できる。
【００７７】
さらには、エントランス無線の開通後に、品質管理情報（ＳＮＭＰ等）を開通後の情報として、情報取得部２０３ａに報告し、工程管理データベース２１０及び基地局管理データベース２１１に蓄積しておくことにより、開通後の回線の品質を、開通前における工程及び基地局に関する情報と紐付けてフィードバックすることができ、免許と品質を関連付け、開通後においても正しい免許の維持と設備の維持を図ることができるとともに、置局の設計ノウハウの蓄積を促すことができる。
【００７８】
また、このような品質のフィードバックを行うことで、災害発生時等において、既存局の位置情報から  既存伝送路の代替手段として無線エントランス方式が使用できるか否かの判定ができ、伝送路復旧手段に関して判断の加速が図れる。あわせて免許申請に関する情報の生成をすることで、無線エントランス方式が適用できる場合の復旧の迅速化が図れる。
【００７９】
さらには、基地局毎の免許情報を、伝送区間という括りで管理することができ、基地局毎の管理と伝送区間での管理とが錯綜して情報管理が煩雑化するのを回避することができ、また、伝送路の廃止にあたっても、全体情報を総合的に判断し免許情報の適正管理を行うことができる。
【符号の説明】
【００８０】
Ｆ１ａ…ボタン
Ｆ２…机上検討フォーム
Ｆ３…案件詳細表示フォーム
Ｆ４…免許情報変更履歴フォーム
Ｆ５…基地局情報表示フォーム
Ｆ６…附帯監視装置情報表示フォーム
Ｍ１…工事担当者
Ｍ２…本社免許担当者
Ｍ３…本社管理担当者
Ｍ４…ネットワークセンター側担当者
１…工程管理システム
２…管理サーバー
３…通信ネットワーク
１１〜１４…情報処理端末
４１…エントランス機器
４４…ルーター機器
１０１…ストレージ装置
１０２…ＣＰＵ
１０２ａ…ブラウザ部
１０３…メモリ
１０４…入力インターフェース
１０５…出力インターフェース
１０６…通信インターフェース
２０１…通信インターフェース
２０２…認証部
２０３…進捗管理部
２０３ａ…情報取得部
２０３ｂ…判断部
２０３ｃ…制御データ生成部
２０３ｄ…出力部
２０５…管理実行部
２０６…通知部
２１０…工程管理データベース
２１１…基地局管理データベース
２１２…社員データベース
５０１…メニュー機能
５０２…エントランス区間管理機能
５０３…案件検索機能
５０４…新規ＳＣＶアップロード機能
５０５…机上検討機能
５０６…ＩＰアドレス割当機能
５０７…案件管理機能
５０８…基地局情報管理機能
５０９…故障対応管理機能
５１０…論理オーダー機能
【図１】
2018056789.tif 000003
【図２】
2018056789.tif 000004
【図３】
2018056789.tif 000005
【図４】
2018056789.tif 000006
【図５】
2018056789.tif 000007
【図６】
2018056789.tif 000008
【図７】
2018056789.tif 000009
【図８】
2018056789.tif 000010
【図９】
2018056789.tif 000011
【図１０】
2018056789.tif 000012
【図１１】
2018056789.tif 000013
【図１２】
2018056789.tif 000014
【図１３】
2018056789.tif 000015